(57)【要約】【課題】通信装置の具備する受信アンテナ数が複数であってもパスサーチ結果に含まれるパスタイミングの数の増大を抑制でき、かつ、レイク合成後の復調結果のＳ／Ｎ比の低下を防ぐことができるようにする。【解決手段】通信装置１が、複数の受信信号に基づいてパスサーチを行い、複数の受信信号に共通のパスサーチ結果を生成し、当該パスサーチ結果の示すパスタイミングにおける受信信号の各々の受信信号品質を求め、求めた受信信号品質が所定の受信信号品質以下であるパスタイミングかつ受信信号をレイク合成に用いないよう指示するマスク制御信号を出力するパスサーチ部１３１を具備する。【選択図】図１
2012070131.tif 000002
【特許請求の範囲】
【請求項１】
ＣＤＭＡ方式にて送信される同一の無線信号を受信する複数の受信部と、
前記複数の受信部が受信する無線信号を用いてパスサーチを行い、前記複数の受信部が受信する無線信号に共通のパスサーチ結果として１つ以上のパスタイミングを含むパスサーチ結果を生成するパスサーチ部と、
前記パスサーチ結果に含まれるパスタイミングにおいて、前記複数の受信部が受信する無線信号の各々について受信信号品質を示す指標値を求める受信信号品質取得部と、
前記受信信号品質取得部が求めた前記指標値の示す受信信号品質が所定の条件を満たす受信信号品質以上か否かを判定し、所定の条件を満たす受信信号品質未満であると判定すると、当該パスタイミングにおける当該無線信号をレイク合成に用いないよう指示するマスク制御信号を生成するマスク制御信号生成部と、
前記パスサーチ結果に含まれるパスタイミングにおける、前記複数の受信部が受信する無線信号のうち、前記マスク制御信号の示すパスタイミングかつ受信信号を除く無線信号を用いてレイク合成を行う無線信号処理部と、
を具備することを特徴とする通信装置。
【請求項２】
前記受信信号品質取得部は、前記複数の受信部が受信する無線信号について所定のタイミングにおける受信信号品質を求め、
前記マスク制御信号生成部は、前記所定のタイミングにおいて前記マスク制御信号の生成を抑制する
ことを特徴とする請求項１に記載の通信装置。
【請求項３】
ＣＤＭＡ方式にて送信される無線信号を受信する通信装置の受信信号処理方法であって、
複数の受信部が、ＣＤＭＡ方式にて送信される同一の無線信号を受信する受信ステップと、
パスサーチ部が、前記受信ステップにて前記複数の受信部が受信する無線信号を用いてパスサーチを行い、前記複数の受信部が受信する無線信号に共通のパスサーチ結果として１つ以上のパスタイミングを含むパスサーチ結果を生成するパスサーチステップと、
受信信号品質取得部が、前記パスサーチ結果に含まれるパスタイミングにおいて、前記複数の受信部が受信する無線信号の各々について受信信号品質を示す指標値を求める受信信号品質取得ステップと、
マスク制御信号生成部が、前記受信信号品質取得ステップにて求められた前記指標値の示す受信信号品質が所定の条件を満たす受信信号品質以上か否かを判定し、所定の条件を満たす受信信号品質未満であると判定すると、当該パスタイミングにおける当該無線信号をレイク合成に用いないよう指示するマスク制御信号を生成するマスク制御信号生成ステップと、
無線信号処理部が、前記パスサーチ結果に含まれるパスタイミングにおける、前記複数の受信部が受信する無線信号のうち、前記マスク制御信号の示すパスタイミングかつ受信信号を除く無線信号を用いてレイク合成を行う無線信号処理ステップと、
を具備することを特徴とする受信信号処理方法。
【請求項４】
ＣＤＭＡ方式にて送信される同一の無線信号を受信する複数の受信部を具備する通信装置の受信信号処理を行うコンピュータに、
前記複数の受信部が受信する無線信号を用いてパスサーチを行い、前記複数の受信部が受信する無線信号に共通のパスサーチ結果として１つ以上のパスタイミングを含むパスサーチ結果を生成するパスサーチステップと、
前記パスサーチ結果に含まれるパスタイミングにおいて、前記複数の受信部が受信する無線信号の各々について受信信号品質を示す指標値を求める受信信号品質取得ステップと、
前記受信信号品質取得ステップにて求められた前記指標値の示す受信信号品質が所定の条件を満たす受信信号品質以上か否かを判定し、所定の条件を満たす受信信号品質未満であると判定すると、当該パスタイミングにおける当該無線信号をレイク合成に用いないよう指示するマスク制御信号を生成するマスク制御信号生成ステップと、
前記パスサーチ結果に含まれるパスタイミングにおける、前記複数の受信部が受信する無線信号のうち、前記マスク制御信号の示すパスタイミングかつ受信信号を除く無線信号を用いてレイク合成を行う無線信号処理ステップと、
を実行させるためのプログラム。
【発明の詳細な説明】
【技術分野】
【０００１】
本発明は、ＣＤＭＡ方式にて通信を行う通信装置、当該通信装置の受信信号処理方法およびプログラムに関する。
【背景技術】
【０００２】
ＣＤＭＡ方式にて通信を行う無線通信システムにおいて、受信側の通信装置は、まず、パスサーチをおこなって、予め定められた拡散符号による受信信号の逆拡散結果で相関の取れる幾つかのパスタイミングを選択する。そして、選択したパスタイミング毎に、拡散符号を用いて受信信号の逆拡散を行う。
例えば、特許文献１には、通信装置がパスサーチを行う際に、受信状態が良いときには有効なパスタイミング数（マルチパス数）を減らし、受信状態が悪いときには有効なパスタイミング数を増やすパスサーチ方法が開示されている。そして、このパスサーチ方法によれば受信状態が良いときには稼動するフィンガ数を減らせるので、消費電力を抑えることができるとされている。
【０００３】
ここで、複数の受信アンテナを具備する通信装置の場合、受信信号毎（受信アンテナ毎）にパスサーチを行って、受信信号毎にパスタイミングを選択すると、パスサーチの結果選択されるパスタイミングの数は受信アンテナの数に比例して増大する。この選択されるパスタイミングの数の増大により、パスサーチ結果のデータ量が増大する。また、ＣＤＭＡ方式の通信装置は、一般に、パスサーチ結果に含まれるパスタイミングをタイミングの早い順にソートして管理し、パスサーチを行うごとにパス追加やパス削除を含むパス追従の制御を行う。その際、パスサーチにて選択されるパスタイミングの数が増大すると、パス追従の制御が複雑になってしまう。
【０００４】
そこで、パス追従の制御を簡便にするため、受信信号毎にパスサーチ結果を管理するのではなく、複数の受信信号に共通のパスサーチ結果を生成して管理する方法がある。
図７は、通信装置が複数の受信信号に共通のパスサーチ結果を生成する例を示す図である。同図では、２つの受信アンテナを具備する通信装置が、２つのパスタイミングを選択する場合の例が示されている。
【０００５】
同図（ａ）は、一方の受信アンテナにて受信する受信信号の拡散符号による逆拡散結果の相関度を、パスタイミング毎（時刻毎）に示す。また、同図（ｂ）は、他方の受信アンテナにて受信する受信信号の拡散符号による逆拡散結果の相関度を、パスタイミング毎に示す。この場合において、通信装置は、両方の受信アンテナにおける受信信号の相関度をパスタイミング毎に足し合わせ、得られる合計値の大きいパスタイミングから順に２つのパスタイミングを選択する。
【０００６】
具体的には、同図（ａ）の相関度ｒ１１１１と、同図（ｂ）の相関度ｒ１１２１とは、同一のパスタイミングにおける相関度であり、これらを足し合わせた合計値が、同図（ｃ）のｒ１１３１にて示されている。同様に、相関度ｒ１１１２と相関度ｒ１１２２とは、同一のパスタイミングにおける相関度であり、これらを足し合わせた合計値が、ｒ１１３２にて示されており、また、相関度ｒ１１１３と相関度ｒ１１２３とは、同一のパスタイミングにおける相関度であり、これらを足し合わせた合計値が、ｒ１１３３にて示されており、また、相関度ｒ１１１４と相関度ｒ１１２４とは、同一のパスタイミングにおける相関度であり、これらを足し合わせた合計値が、ｒ１１３４にて示されている。
【０００７】
ここで、受信装置は、同図（ｃ）中の一点鎖線で表される所定の閾値レベルを超える、相関度の合計値の大きい順に、合計値ｒ１１３２のパスタイミングと、合計値ｒ１１３３のパスタイミングとの、２つのパスタイミングを選択する。そして、受信装置は、選択した２つのパスタイミングのそれぞれにおいて、２つの受信アンテナにて得られる受信信号のそれぞれについて逆拡散を行い、４つの逆拡散結果を得る。さらに、受信装置は、これら４つの逆拡散結果を用いてレイク合成を行い、レイク合成結果を用いて通信データを復調する。
【０００８】
このように、複数の受信アンテナを具備する受信装置が、パスサーチにおいて各アンテナに共通のパスタイミングを選択してパスサーチ結果とすることにより、受信装置の具備するアンテナ数にかかわらず、パスサーチ結果に含まれるパスタイミング数を一定とすることができ、パス追従の制御を簡便にすることができる。
【先行技術文献】
【特許文献】
【０００９】
【特許文献１】特開２００４−２６０３５５号公報
【発明の概要】
【発明が解決しようとする課題】
【００１０】
しかしながら、複数の受信アンテナに共通のパスタイミングをパスサーチの結果として用いることにより、レイク合成後の復調結果のＳ／Ｎ比が劣化してしまう場合がある。
この点について、図７を用いて説明すると、合計値ｒ１１３２のパスタイミングにおいては、相関度ｒ１１１２と相関度ｒ１１２２とは、いずれも大きい（高い）相関度を示している。このように、大きい相関度を示すパスタイミングにおいて受信信号の逆相関を行い、逆相関結果を用いてレイク合成を行うことによりレイク合成後の復調結果のＳ／Ｎ比が高くなる。
【００１１】
これに対して、合計値ｒ１１３３のパスタイミングにおいて、相関度ｒ１１１３は大きい相関度を示しているが、相関度ｒ１１２３は小さい（低い）相関度を示している。この相関度の小ささは、当該パスタイミングにおける受信信号が、受信装置が復調すべき信号との関係においてＳ／Ｎ比が低いことを示している。したがって、当該パスタイミングにおける受信信号の逆相関結果を用いてレイク合成を行うと、レイク合成後の復調結果のＳ／Ｎ比が低くなってしまう。
【００１２】
本発明は、このような事情を考慮してなされたものであり、その目的は、受信アンテナ数が複数であってもパスサーチ結果に含まれるパスタイミングの数の増大を抑制でき、かつ、レイク合成後の復調結果のＳ／Ｎ比の低下を防ぐことができる通信装置、受信信号処理方法およびプログラムを提供することにある。
【課題を解決するための手段】
【００１３】
この発明は上述した課題を解決するためになされたもので、本発明の一態様による通信装置は、ＣＤＭＡ方式にて送信される同一の無線信号を受信する複数の受信部と、前記複数の受信部が受信する無線信号を用いてパスサーチを行い、前記複数の受信部が受信する無線信号に共通のパスサーチ結果として１つ以上のパスタイミングを含むパスサーチ結果を生成するパスサーチ部と、前記パスサーチ結果に含まれるパスタイミングにおいて、前記複数の受信部が受信する無線信号の各々について受信信号品質を示す指標値を求める受信信号品質取得部と、前記受信信号品質取得部が求めた前記指標値の示す受信信号品質が所定の条件を満たす受信信号品質以上か否かを判定し、所定の条件を満たす受信信号品質未満であると判定すると、当該パスタイミングにおける当該無線信号をレイク合成に用いないよう指示するマスク制御信号を生成するマスク制御信号生成部と、前記パスサーチ結果に含まれるパスタイミングにおける、前記複数の受信部が受信する無線信号のうち、前記マスク制御信号の示すパスタイミングかつ受信信号を除く無線信号を用いてレイク合成を行う無線信号処理部と、を具備することを特徴とする。
【００１４】
また、本発明の一態様による受信信号処理方法は、ＣＤＭＡ方式にて送信される無線信号を受信する通信装置の受信信号処理方法であって、複数の受信部が、ＣＤＭＡ方式にて送信される同一の無線信号を受信する受信ステップと、パスサーチ部が、前記受信ステップにて前記複数の受信部が受信する無線信号を用いてパスサーチを行い、前記複数の受信部が受信する無線信号に共通のパスサーチ結果として１つ以上のパスタイミングを含むパスサーチ結果を生成するパスサーチステップと、受信信号品質取得部が、前記パスサーチ結果に含まれるパスタイミングにおいて、前記複数の受信部が受信する無線信号の各々について受信信号品質を示す指標値を求める受信信号品質取得ステップと、マスク制御信号生成部が、前記受信信号品質取得ステップにて求められた前記指標値の示す受信信号品質が所定の条件を満たす受信信号品質以上か否かを判定し、所定の条件を満たす受信信号品質未満であると判定すると、当該パスタイミングにおける当該無線信号をレイク合成に用いないよう指示するマスク制御信号を生成するマスク制御信号生成ステップと、無線信号処理部が、前記パスサーチ結果に含まれるパスタイミングにおける、前記複数の受信部が受信する無線信号のうち、前記マスク制御信号の示すパスタイミングかつ受信信号を除く無線信号を用いてレイク合成を行う無線信号処理ステップと、を具備することを特徴とする。
【００１５】
また、本発明の一態様によるプログラムは、ＣＤＭＡ方式にて送信される同一の無線信号を受信する複数の受信部を具備する通信装置の受信信号処理を行うコンピュータに、前記複数の受信部が受信する無線信号を用いてパスサーチを行い、前記複数の受信部が受信する無線信号に共通のパスサーチ結果として１つ以上のパスタイミングを含むパスサーチ結果を生成するパスサーチステップと、前記パスサーチ結果に含まれるパスタイミングにおいて、前記複数の受信部が受信する無線信号の各々について受信信号品質を示す指標値を求める受信信号品質取得ステップと、前記受信信号品質取得ステップにて求められた前記指標値の示す受信信号品質が所定の条件を満たす受信信号品質以上か否かを判定し、所定の条件を満たす受信信号品質未満であると判定すると、当該パスタイミングにおける当該無線信号をレイク合成に用いないよう指示するマスク制御信号を生成するマスク制御信号生成ステップと、前記パスサーチ結果に含まれるパスタイミングにおける、前記複数の受信部が受信する無線信号のうち、前記マスク制御信号の示すパスタイミングかつ受信信号を除く無線信号を用いてレイク合成を行う無線信号処理ステップと、を実行させるためのプログラムである。
【発明の効果】
【００１６】
本発明によれば、通信装置の具備する受信アンテナ数が複数であってもパスサーチ結果に含まれるパスタイミングの数の増大を抑制でき、かつ、レイク合成後の復調結果のＳ／Ｎ比の低下を防ぐことができる。
【図面の簡単な説明】
【００１７】
【図１】本発明の一実施形態における通信装置の概略構成を示す構成図である。
【図２】同実施形態において、通信装置１が選択するパスの例を示す図である。
【図３】図２のパスタイミングｒ３１における受信信号に対する、同実施形態の通信装置１の処理手順を示すシーケンス図である。
【図４】図４は、図２のパスタイミングｒ３２における受信信号に対する、同実施形態通信装置１の処理手順を示すシーケンス図である。
【図５】図２のパスタイミングｒ３３における受信信号に対する、同実施形態通信装置１の処理手順を示すシーケンス図である。
【図６】本発明の一変形例における通信装置の概略構成を示す構成図である。
【図７】通信装置が複数の受信信号に共通のパスサーチ結果を生成する例を示す図である。
【発明を実施するための形態】
【００１８】
以下、図面を参照して、本発明の実施の形態について説明する。
図１は、本発明の一実施形態における通信装置の概略構成を示す構成図である。
同図において、通信装置１は、受信部１１１および１２１と、逆拡散部１１２および１２２と、伝送路推定部１１３および１２３と、パスサーチ部１３１と、レイク合成部１４１とを具備する。なお、パスサーチ部１３１は、本発明におけるパスサーチ部、受信信号品質取得部およびマスク制御信号生成部の一具体例である。また、逆拡散部１１２および１２２と、伝送路推定部１１３および１２３と、レイク合成部１４１とを併せて、本発明における無線信号処理部の一具体例を構成する。
【００１９】
受信部１１１および１２１は、アンテナを有して無線信号を受信し、受信した無線信号（受信信号）を復調してパスサーチ部１３１と逆拡散部１１２および１２２とに出力する。
パスサーチ部１３１は、受信部１１１および１２１から出力される受信信号について、１シンボル長の時間のうち、拡散符号による逆拡散の相関度の大きいパスタイミングを検出するパスサーチを行う。具体的には、パスサーチ部１３１は、通信装置１の具備する逆拡散部１１２および１２２と同数（２つ）のパスタイミングを、相関度の大きい順に選択する。
【００２０】
そして、パスサーチ部１３１は、パスサーチ結果として、選択した２つのパスタイミングのうち一方のパスタイミングを示す情報を逆拡散部１１２に出力し、他方のパスタイミングを示す情報を逆拡散部１２２に出力する。例えば、パスサーチ部１３１は、選択したパスタイミングのうち、早いほうのパスタイミングを逆拡散部１１２に出力し、遅いほうのパスタイミングを逆拡散部１２２に出力する。
また、パスサーチ部１３１は、パスサーチにて選択したパスタイミングの各々について、受信信号品質の高さを判定し、受信信号品質が低いと判定した受信信号がレイク合成部１４１の行うレイク合成に用いられないようにマスクするマスク制御情報を出力する。
【００２１】
なお、パスサーチ部１３１がパスサーチを行うタイミングは、様々に設定することができる。例えば、パイロット信号を受信する毎など、一定期間毎にパスサーチ部１３１がパスサーチを行うようにしてもよいし、あるいは、１シンボル長毎、すなわち、送信シンボル毎に毎回パスサーチを行うようにしてもよい。一定期間毎にパスサーチを行う場合は、次のパスサーチを行うまで、同一のパスタイミングを繰り返し使用する。また、パスサーチ部１３１が受信信号品質の高さを判定するタイミングも、パスサーチを行うタイミングと同様に様々に設定することができる。
【００２２】
逆拡散部１１２は、パスサーチ部１３１から出力されるパスサーチ結果の示すパスタイミングにおいて、受信部１１１から出力される受信信号を、予め定められた拡散符号に基づいて逆拡散し、逆拡散結果を伝送路推定部１１３に出力する。その際、パスサーチ部１３１から出力されるマスク制御情報においてマスクされている受信信号に対しては、逆拡散部１１２は逆拡散を行わず、逆拡散結果の伝送も行わない。
【００２３】
同様に、逆拡散部１２２は、パスサーチ部１３１から出力されるパスサーチ結果の示すパスタイミングにおいて、受信部１２１から出力される受信信号を、予め定められた拡散符号に基づいて逆拡散し、逆拡散結果を伝送路推定部１２３に出力する。その際、パスサーチ部１３１から出力されるマスク制御情報においてマスクされている受信信号に対しては、逆拡散部１２２は逆拡散を行わず、逆拡散結果の伝送も行わない。
【００２４】
伝送路推定部１１３は、例えば受信部１１１の受信信号に含まれるパイロット信号を用いて予め伝送路推定を行い、伝送路推定結果に基づいて、逆拡散部１１２から出力される逆拡散結果に対して位相の修正を行う。そして、伝送路推定部１１３は、位相を修正された逆拡散結果をレイク合成部１４１に出力する。
【００２５】
同様に、伝送路推定部１２３は、例えば受信部１２１の受信信号に含まれるパイロット信号を用いて予め伝送路推定を行い、伝送路推定結果に基づいて、逆拡散部１２２から出力される逆拡散結果に対して位相の修正を行う。そして、伝送路推定部１２３は、位相を修正された逆拡散結果をレイク合成部１４１に出力する。
【００２６】
レイク合成部１４１は、伝送路推定部１１３と伝送路推定部１２３とから出力される、位相を修正された逆拡散結果を用いてレイク合成を行い、レイク合成結果を、復号等の後処理を行う後処理部に出力する。
【００２７】
図２は、通信装置１が選択するパスの例を示す図である。同図（ａ）は受信部１１１の受信信号の拡散符号による逆拡散結果の相関度（相関係数）を示し、同図（ｂ）は受信部１２１の受信信号の拡散符号による逆拡散結果の相関度を示す。また、同図（ｃ）は、パスサーチ部１３１が生成するパスサーチ結果を示す。また、同図（ｄ）は、逆拡散部１１２が選択するパスを示し、同図（ｅ）は逆拡散部１２２が選択するパスを示す。
【００２８】
パスサーチ部１３１は、受信部１１１と受信部１２１とから出力される２つの受信信号に基づいて単一のパスサーチ結果を生成する。
図２の例では、まず、パスサーチ部１３１は、受信部１１１の受信信号の拡散符号による逆拡散結果の相関度（以下、「受信信号の相関度」と称する）と、受信部１２１の受信信号の相関度とを合計する。同図（ａ）の相関度ｒ１１と同図（ｂ）の相関度ｒ１１とが、同一の時刻（パスタイミング）における相関度であり、パスサーチ部１３１は、これら２つの相関度を合計してパスサーチにおける指標値ｒ３１とする。同様に、パスサーチ部１３１は、相関度ｒ１２とｒ２２とを合計して指標値ｒ３２とし、相関度ｒ１３とｒ２３とを合計して指標値ｒ３３とし、相関度ｒ１４とｒ２４とを合計して指標値ｒ３４とする。
【００２９】
そして、パスサーチ部１３１は、レイク合成部１４１の具備するフィンガ数以下の範囲で、指標値の大きいパスタイミングを選択する。
図２の例では、パスサーチ部１３１は、指標値の大きい順に、指標値ｒ３２のパスタイミング（以下、「パスタイミングｒ３２」と称する。他の指標値についても同様）とパスタイミングｒ３３との、２本のパスタイミングを選択している。なお、同図では、パスサーチ部１３１が選択したパスタイミングは、鎖線よりも指標値の大きいパスタイミングとして示されている。すなわち、鎖線よりも指標値の大きいパスタイミングｒ３２およびｒ３３が、パスサーチ部１３１によって選択されたパスタイミングである。一方、鎖線よりも指標値の小さいパスタイミングｒ３１およびｒ３４は、パスサーチ部１３１によって選択されなかったパスタイミングである。
【００３０】
ここで、パスサーチ部１３１の選択した各パスタイミングにおける、受信信号の相関度を見ると、パスタイミングｒ３２における、受信部１１１の受信信号の相関度ｒ１２、および、受信部１２１の受信信号の相関度ｒ２２は、いずれも大きい（高い）相関度を示しており、当該パスタイミングにおける受信信号を用いて復調を行うことにより、復調結果のＳ／Ｎ比（Signal to Noize ratio）を高めることができる。同様に、パスタイミングｒ３３における、受信部１１１の受信信号の相関度ｒ１３も、大きい相関度を示している。
【００３１】
これに対してパスタイミングｒ３３における、受信部１２１の受信信号の相関度ｒ２３は、小さい（低い）相関度を示している。この相関度の小ささは、パスタイミングｒ３３における受信部１２１の受信信号が、通信装置１が復調すべき信号との関係においてＳ／Ｎ比が低いことを示している。したがって、当該受信信号を用いて復調を行うと、復調結果のＳ／Ｎ比が低くなってしまう。
【００３２】
そこで、パスサーチ部１３１は、パスサーチにて選択したパスタイミング毎に、各受信部における受信信号の受信品質が低いか否かを判定し、受信品質が低いと判定した受信信号が復調に用いられないようにマスクするマスク制御情報を出力する。
例えば図２の例において、パスサーチ部１３１は、パスサーチにて選択したパスタイミングｒ３２とｒ３３との各々について、受信部１１１の受信信号の相関度と、受信部１２１の受信信号の相関度との差の大きさを求め、差の大きさが所定の閾値以上である場合に、相関度の低いほうの受信信号の受信品質が低いと判定し、当該受信信号をマスクするマスク制御信号を出力する。一方、差の大きさが所定の閾値未満である場合は、パスサーチ部１３１は、両方の受信信号の受信品質の受信品質が高いと判定し、マスク制御信号は出力しない。
【００３３】
パスタイミングｒ３２では、受信部１１１の受信信号の相関度ｒ１２と、受信部１２１の受信信号の相関度ｒ２２とは、ほぼ同じ大きさであり、相関度の差の大きさは閾値未満となる。したがって、パスサーチ部１３１はマスク制御信号を出力しない。
一方、パスタイミングｒ３３では、受信部１１１の受信信号の相関度ｒ１３に対して、受信部１２１の受信信号の相関度ｒ２３が小さく、相関度の差の大きさが閾値以上となる。そこで、パスサーチ部１３１は、受信部１２１の受信信号に対するマスク制御信号を生成し、パスタイミングｒ３３における受信信号を処理する逆拡散部１２２に出力する。
【００３４】
その結果、レイク合成部１４１がレイク合成を行う対象となる受信信号は、図２（ｄ）、（ｅ）に示すパスタイミングのものとなる。
同図において、パスサーチ部１３１は、選択したパスタイミングｒ３２を逆拡散部１１２に対して通知し、マスク制御信号の出力は行わない。これにより、逆拡散部１１２は、受信部１１１の受信信号および受信部１２１の受信信号に対してパスタイミングｒ３２にて逆拡散を行う。
【００３５】
一方、パスサーチ部１３１は、逆拡散部１２２に対して、選択したパスタイミングｒ３３を通知し、また、受信部１２１の受信信号に対するマスク制御信号を出力する。これにより、逆拡散部１２２は、受信部１１１の受信信号に対してパスタイミングｒ３３にて逆拡散を行うが、受信部１２１の受信信号に対しては逆拡散は行わない。
そして、レイク合成部１４１は、パスタイミングｒ３２およびｒ３３にて逆拡散された受信部１１１の受信信号と、パスタイミングｒ３２にて逆拡散された受信部１１１の受信信号とを用いてレイク合成を行う。
【００３６】
このように、パスサーチ部１３１は、単一のパスサーチ結果を出力するので、受信部の数にかかわらずパスサーチ結果のデータ量の増大を抑えることができ、また、パス追従の制御が複雑になることを防止できる。かつ、パスサーチ部１３１がマスク制御信号を出力することにより、レイク合成部１４１は相関度の大きいパスタイミングの受信信号のみを用いてレイク合成を行うので、相関度の小さい受信信号の混入によるＳ／Ｎ比の低下を防止できる。
【００３７】
次に、図３〜図５を参照して、通信装置１の動作について説明する。
図３は、図２のパスタイミングｒ３１における受信信号に対する通信装置１の処理手順を示すシーケンス図である。また、図４は、図２のパスタイミングｒ３２における受信信号に対する通信装置１の処理手順を示すシーケンス図である。また、図５は、図２のパスタイミングｒ３３における受信信号に対する通信装置１の処理手順を示すシーケンス図である。
なお、パスサーチ部１３１は、受信信号をパスタイミング毎ではなく、複数のパスタイミングを含む時間区分であるシンボル長毎に処理するが、説明を分かり易くするために、図３〜図５では、各々１つのパスタイミングにおける受信信号処理の際のデータの流れを示している。
【００３８】
図３において、受信部１１１は、無線信号を受信すると、受信した無線信号（受信信号）をパスサーチ部１３１と、逆拡散部１１２と逆拡散部１２２とに出力する（シーケンスＳ１０１）。同時に、受信部１２１も無線信号を受信し、受信信号をパスサーチ部１３１と、逆拡散部１１２と逆拡散部１２２とに出力する（シーケンスＳ１０２）。
そして、パスサーチ部１３１は、受信部１１１および受信部１２１から出力される無線信号に基づいてパスサーチ（シーケンスＳ１１１）とマスク判定（シーケンスＳ１２１）とを行う。ここで、パスタイミングｒ３１においては、受信信号の相関度が小さく、パスサーチにて選択されず、パスサーチ部１３１は、当該パスタイミングを示す情報を出力しない。このため、逆拡散部１１２および逆拡散部１２２は、このパスタイミングにおいては受信信号の逆拡散を行わない。したがって、レイク合成部１４１は、このパスタイミングにおける受信信号をレイク合成に用いない。
【００３９】
次に、図４において、シーケンスＳ２０１〜Ｓ２２１は、図３のシーケンスＳ１０１〜Ｓ１２１と同様である。ここで、パスタイミングｒ３２においては、受信信号の相関度が大きく、パスサーチにて選択される。そして、パスサーチ部１３１は、当該パスタイミングｒ３２を示す情報を、逆拡散部１１２に出力する（シーケンスS２１２）。
【００４０】
また、パスサーチ部１３１は、シーケンスＳ２１１におけるパスサーチで選択したパスタイミングｒ３２について、受信部１１１の受信信号の相関度と、受信部１２１の受信信号の相関度との、差の大きさを求めてマスク制御信号出力の要否を判定するマスク判定を行う（シーケンスＳ２２１）。パスタイミングｒ３２では、受信部１１１の受信信号の相関度ｒ１２と、受信部１２１の受信信号の相関度ｒ２２との差の大きさは閾値以下であり、パスサーチ部１３１は、マスク制御信号を出力しない。
【００４１】
パスサーチ部１３１から出力されるパスタイミングｒ３２を示す情報の出力を受けた逆拡散部１１２は、受信部１１１の受信信号と、受信部１２１の受信信号との各々について、パスタイミングｒ３２において逆拡散を行い、逆拡散結果を伝送路推定部１１３に出力する（シーケンスＳ２３３）。そして、伝送路推定部１１３は、逆拡散部１１２から出力される受信部１１１の受信信号の逆拡散結果と、受信部１２１の受信信号の逆拡散結果との各々について、パイロット信号を用いた伝送路推定結果に基づいて位相を調整し（シーケンスＳ２４１）、位相調整された逆拡散結果を、レイク合成部１４１に出力する（シーケンスＳ２４３）。そして、レイク合成部１４１は伝送路推定部１１３から出力される位相調整された逆拡散結果と、伝送路推定部１２３から出力される位相調整された逆拡散結果とを用いてレイク合成を行い、復号等の後処理を行う部分にレイク合成結果を出力する。
【００４２】
次に、図５において、シーケンスＳ３０１〜Ｓ３２１は、図４のシーケンスＳ２０１〜Ｓ２２１と同様である。ここで、パスタイミングｒ３３においては、受信信号の相関度が大きく、パスサーチにて選択される。そして、パスサーチ部１３１は、当該パスタイミングｒ３３を示す情報を、逆拡散部１１２に出力する（シーケンスS３１２）。
【００４３】
また、パスサーチ部１３１は、シーケンスＳ３１１におけるパスサーチで選択したパスタイミングｒ３２について、受信部１１１の受信信号の相関度と、受信部１２１の受信信号の相関度との差の大きさを求めて、マスク制御信号出力の要否を判定するマスク判定を行う（シーケンスＳ３２１）。そして、パスタイミングｒ３３において、受信部１１１の受信信号の相関度ｒ１３に対して、受信部１２１の受信信号の相関度ｒ２３が小さく、相関度の差の大きさが閾値以上となることを検出し、受信部１２１の受信信号に対するマスク制御信号を生成して逆拡散部１２２に出力する（シーケンスＳ３２２）。
【００４４】
パスサーチ部１３１から出力される、パスタイミングｒ３３を示す情報とマスク制御信号との出力を受けた逆拡散部１２２は、受信部１１１の受信信号ついて、パスタイミングｒ３３において逆拡散を行い、逆拡散結果を伝送路推定部１２３に出力する（シーケンスＳ３３４）。一方、逆拡散部１２２は、マスク制御信号に従って、受信部１２１の受信信号については逆拡散を行わず、逆拡散結果の出力も行わない。
そして、伝送路推定部１２３は、逆拡散部１２２から出力される受信部１１１の受信信号の逆拡散結果について、パイロット信号を用いた伝送路推定結果に基づいて位相を調整し（シーケンスＳ３４２）、位相調整された逆拡散結果を、レイク合成部１４１に出力する（シーケンスＳ３４４）。そして、レイク合成部１４１は伝送路推定部１１３から出力される位相調整された逆拡散結果と、伝送路推定部１２３から出力される位相調整された逆拡散結果とを用いてレイク合成を行い、復号等の後処理を行う部分にレイク合成結果を出力する。
【００４５】
以上のように、パスサーチ部１３１は、受信部１１１の受信信号と受信部１２１の受信信号とに共通のパスサーチ結果を出力する。また、パスサーチ部１３１は、パスサーチにて決定したパスタイミング毎、かつ、受信部毎に、受信信号品質が低いか否かを判定し、受信信号品質が低いと判定したパスタイミングかつ受信部の受信信号がレイク合成に用いられないようにマスクするマスク制御情報を出力する。
【００４６】
このようにパスサーチ部が、複数の受信部に共通のパスサーチ結果を出力することにより、通信装置の具備する受信装置の数にかかわらず、パスサーチ結果のデータ量の増大を押さえることができる。かつ、パスサーチ部が受信信号品質の低い受信信号に対するマスク制御情報を出力することにより、レイク合成部１４１が、受信信号品質の低い受信信号の逆拡散結果を用いてレイク合成を行い、レイク合成結果のＳ／Ｎ比が低下することを防止できる。
【００４７】
なお、パスサーチ部以外の部分が、マスク制御を行うための受信品質測定を行うようにしてもよい。例えば、レイク合成部１４１においても、上位の階層に報告するため、受信品質を測定する必要がある。そこで、レイク合成部１４１が、マスク制御を行なうための受信品質測定を行うようにしてもよい。
【００４８】
図６は、本発明の一変形例における通信装置の概略構成を示す構成図である。同図において、通信装置２は、受信部１１１および１２１と、逆拡散部１１２および１２２と、伝送路推定部１１３および１２３と、パスサーチ部２３１と、レイク合成部２４１とを具備する。なお、パスサーチ部１３１は、本発明におけるパスサーチ部およびマスク制御信号生成部の一具体例である。また、逆拡散部１１２および１２２と、伝送路推定部１１３および１２３と、レイク合成部１４１とを併せて、本発明における無線信号処理部を構成する。また、レイク合成部１４１は、本発明における受信信号品質取得部の一具体例である。
また、同図において、図１の各部と同様の機能を有する部分には、同一の符号（１１１〜１１３、１２１〜１２３を付し、説明を省略する。
【００４９】
パスサーチ部２３１は、レイク合成部２４１から品質測定結果を示す情報の出力を受けて、パスタイミング毎かつ受信部毎に、受信信号が復調に用いられないようにマスクするか否かのマスク判定を行い、マスク判定結果に基づいて、逆拡散部１１２または逆拡散部１２２にマスク制御情報を出力する。
【００５０】
その際、例えばパイロット信号の送信されるチャンネルなど、レイク合成部２４１が受信品質測定に用いるチャンネルとして予め定められたチャンネルに対しては、パスサーチ部２３１はマスクを行う対象から除外する。これにより、レイク合成部２４１に当該チャンネルの逆拡散結果が（位相修正後に）出力され、レイク合成部２４１は、逆拡散結果に基づいて品質測定を行うことが出来る。
【００５１】
レイク合成部２４１は、図１のレイク合成部１４１と同様、伝送路推定部１１３および１２３から出力される、位相を修正された逆拡散結果を用いてレイク合成を行い、復号等の後処理を行う部分にレイク合成結果を出力する。また、レイク合成部は、予め定められたチャンネルについて、伝送路推定部１１３および１１４から出力される位相を修正された逆拡散結果に基づいて品質測定を行い、品質測定結果をパスサーチ部２３１に出力する。
【００５２】
このように、レイク合成部２４１が受信品質測定結果をパスサーチ部２３１に出力するので、パスサーチ部２３１は、マスク制御情報出力の要否判定のために受信品質測定を行う必要がない。この点で、パスサーチ部の構成を簡単にでき、電力消費を抑制できる。
【００５３】
なお、通信装置１または通信装置２の全部または一部の機能を実現するためのプログラムをコンピュータ読み取り可能な記録媒体に記録して、この記録媒体に記録されたプログラムをコンピュータシステムに読み込ませ、実行することにより各部の処理を行ってもよい。なお、ここでいう「コンピュータシステム」とは、ＯＳや周辺機器等のハードウェアを含むものとする。
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００５４】
以上、本発明の実施形態を図面を参照して詳述してきたが、具体的な構成はこの実施形態に限られるものではなく、この発明の要旨を逸脱しない範囲の設計変更等も含まれる。
【符号の説明】
【００５５】
１、２  通信装置
１１１、１２１  受信部
１１２、１２２  逆拡散部
１１３、１２３  伝送路推定部
１３１、２３１  パスサーチ部
１４１、２４１  レイク合成部
【図１】
2012070131.tif 000003
【図２】
2012070131.tif 000004
【図３】
2012070131.tif 000005
【図４】
2012070131.tif 000006
【図５】
2012070131.tif 000007
【図６】
2012070131.tif 000008
【図７】
2012070131.tif 000009